(57)【要約】【課題】まとまって選択された複数のカラオケ曲を簡略に予約することができるカラオケ曲予約システムを提供する。【解決手段】カラオケ装置１１はインターネット２を介してカラオケ会社のポータルサイト３または一般インターネット利用者のウェブサイト５に接続される。各サイトには、テーマまたはストーリーに基づいて選曲された複数のカラオケ曲がアルバムとして公開されている。カラオケ装置１１の顧客は、インターネット上でアルバムを検索し、所望のアルバムを選択すると、そのアルバムに含まれる複数のカラオケ曲の曲名が曲名・曲番号変換ホームページ３４に送信され、曲番号に変換されて送信される。カラオケ装置１１は、この曲番号を予約曲リストに登録する。【選択図】　図１
2004053826.tif 000002
【特許請求の範囲】
【請求項１】
曲番号で識別される曲データを記憶する記憶手段と、
入力された曲データに基づいてカラオケ曲を演奏する演奏手段と、
演奏手段が演奏すべきカラオケ曲の曲番号を１ないし複数記憶する予約リストと、
外部のネットワークと接続する通信手段と、
通信手段がネットワークを介して受信した曲番号を前記予約リストに登録し、予約リストに登録された順に曲番号を読み出して、この曲番号で識別される曲データを前記演奏手段に入力する制御手段と、
を備えたカラオケ装置。
【請求項２】
利用者が操作して曲番号を入力する入力手段を備え、前記制御手段は、この入力手段から入力された曲番号を前記ネットワークを介して受信した曲番号とともに前記予約リストに登録する請求項１に記載のカラオケ装置。
【請求項３】
カラオケ曲の曲名を配信する曲名配信装置、および、曲名を曲番号に変換する変換装置がネットワークを介して接続されたカラオケ装置であって、
曲番号で識別される曲データを記憶する記憶手段と、
入力された曲データに基づいてカラオケ曲を演奏する演奏手段と、
前記ネットワークを介して前記曲名配信装置および変換装置と通信し、前記曲名配信装置からカラオケ曲の曲名を受信し、前記変換装置に対して曲名を送信するとともに、変換装置から曲番号を受信する通信手段と、
前記通信手段が曲名配信装置から受信したカラオケ曲の曲名を表示する表示手段と、
表示手段が表示している曲名を、演奏するカラオケ曲の曲名として選択する選択手段と、
選択手段によって選択された曲名を前記通信手段を介して変換装置に送信し、前記通信手段が変換装置から受信した曲番号を予約リストに登録し、予約リストに登録された曲番号を登録順に読み出し、この曲番号で識別される曲データを前記記憶手段から読み出して前記演奏手段に入力する制御手段と、
を備えたカラオケ装置。
【請求項４】
カラオケ曲の曲名およびこのカラオケ曲の曲データの曲番号を対応づけて配信する配信装置がネットワークを介して接続されたカラオケ装置であって、
曲番号で識別される曲データを記憶する記憶手段と、
入力された曲データに基づいてカラオケ曲を演奏する演奏手段と、
前記ネットワークを介して前記配信装置と通信する通信手段と、
前記通信手段が配信装置から受信したカラオケ曲の曲名を表示する表示手段と、
表示手段が表示している曲名を、演奏するカラオケ曲の曲名として選択する選択手段と、
選択手段によって選択された曲名に対応する曲番号を予約リストに登録し、予約リストに登録された曲番号を登録順に読み出し、この曲番号で識別される曲データを前記記憶手段から読み出して前記演奏手段に入力する制御手段と、
を備えたカラオケ装置。
【請求項５】
複数のカラオケ曲の曲番号を記憶しているウェブサイトおよび前記ウェブサイトへのリンク情報を記憶しているサーバ装置とインターネットを介して接続されたカラオケ装置でカラオケ曲を予約する方法であって、
前記サーバ装置が、カラオケ装置に対して前記リンク情報を送信する手順、
カラオケ装置が、前記リンクを経由して前記ウェブサイトにアクセスする手順、
ウェブサイトが、前記複数の曲番号をカラオケ装置に送信する手順、
カラオケ装置が、受信した曲番号を予約リストに登録する手順、
からなるカラオケ装置の選曲方法。
【発明の詳細な説明】
【０００１】
【発明の属する技術分野】
この発明は、複数のカラオケ曲を簡略に予約することができるカラオケ装置及びカラオケ装置の選曲方法に関する。
【０００２】
【従来の技術】
従来、カラオケ装置でカラオケ曲を予約する場合、カラオケ曲の曲名や歌い出しの歌詞と曲番号とを対応づけた冊子である目次本で所望のカラオケ曲の曲番号を検索し、リモコン装置を用いてこの曲番号をカラオケ装置本体に送信してカラオケ曲を予約していた。
【０００３】
【発明が解決しようとする課題】
しかし、上記の予約方法では、所望のカラオケ曲を１曲ずつ目次本で探さなければならないうえに、見つけたカラオケ曲の曲番号をリモコン装置を用いてカラオケ装置本体に転送しなければならないため、利用者が曲の予約に熱中してしまい他人の歌唱を聴くことができず、座が盛り上がらないという問題点があった。また、１曲ずつ選曲した場合、各カラオケ曲に統一性がないばらばらの選曲になってしまうという問題点があった。
【０００４】
この発明は、簡略な操作でカラオケ曲を予約できるとともに、まとまって選択された複数のカラオケ曲を簡略に予約することができるカラオケ装置およびカラオケ装置の選曲方法を提供することを目的とする。
【０００５】
【課題を解決するための手段】
請求項１の発明のカラオケ装置は、曲番号で識別される曲データを記憶する記憶手段と、入力された曲データに基づいてカラオケ曲を演奏する演奏手段と、演奏手段が演奏すべきカラオケ曲の曲番号を１ないし複数記憶する予約リストと、外部のネットワークと接続する通信手段と、通信手段がネットワークを介して受信した曲番号を前記予約リストに登録し、予約リストに登録された順に曲番号を読み出して、この曲番号で識別される曲データを前記演奏手段に入力する制御手段と、を備えたことを特徴とする。
請求項２の発明は、上記発明において、利用者が操作して曲番号を入力する入力手段を備え、前記制御手段は、この入力手段から入力された曲番号を前記ネットワークを介して受信した曲番号とともに前記予約リストに登録することを特徴とする。
【０００６】
通常のカラオケ装置では、リモコン装置から入力される曲番号を予約リストに登録し、登録順にカラオケ曲を演奏してゆくが、この発明では、通信手段が、ネットワークを介して外部装置から曲番号を受信し、制御手段が、この受信した曲番号を予約リストに登録する。すなわち、ネットワークを介して外部装置から受信した曲番号をリモコン装置を介して受信した曲番号と同様に扱ってカラオケ曲の予約を受け付ける。これにより、外部装置からネットワークを介して曲番号を入力してカラオケ曲を予約することができ、利用者が目次本で曲番号を探してリモコン装置で入力しなくてもリモートに曲番号の予約をすることができる。
【０００７】
なお、この明細書では、曲番号の語を、カラオケ曲を指定するための識別情報を表す語として用いており、数字列からなる番号のみならず、各カラオケ曲をユニークに識別できる情報であれば文字、記号などどのような情報からなるものも含む概念である。またさらに、曲番号は、曲番号にコマンドコードが付加された予約コマンドを含む概念である。また、外部装置がネットワークを介して送信してくる曲番号は１曲分のみであってもよく、複数曲分（アルバム）をまとめて送ってくるようにしてもよい。
【０００８】
請求項３の発明は、カラオケ曲の曲名を配信する曲名配信装置、および、曲名を曲番号に変換する変換装置がネットワークを介して接続されたカラオケ装置であって、曲番号で識別される曲データを記憶する記憶手段と、入力された曲データに基づいてカラオケ曲を演奏する演奏手段と、前記ネットワークを介して前記曲名配信装置および変換装置と通信し、前記曲名配信装置からカラオケ曲の曲名を受信し、前記変換装置に対して曲名を送信するとともに、変換装置から曲番号を受信する通信手段と、前記通信手段が曲名配信装置から受信したカラオケ曲の曲名を表示する表示手段と、表示手段が表示している曲名を、演奏するカラオケ曲の曲名として選択する選択手段と、選択手段によって選択された曲名を前記通信手段を介して変換装置に送信し、前記通信手段が変換装置から受信した曲番号を予約リストに登録し、予約リストに登録された曲番号を登録順に読み出し、この曲番号で識別される曲データを前記記憶手段から読み出して前記演奏手段に入力する制御手段と、を備えたことを特徴とする。
【０００９】
この発明のカラオケ装置は、インターネットなどのネットワークを介して、曲名配信装置および変換装置に接続されている。曲名配信装置は、たとえばインターネットホームページのサーバ装置であり、インターネット利用者が、このサーバ上にカラオケ曲の曲名を掲載したホームページを公開する。また、変換装置もネットワーク上に存在する装置であり、この装置もインターネットホームページのサーバ装置で構成することが可能である。
曲名配信装置が配信した（ホームページの場合にはインターネット上で公開している）曲名を表示し（表示手段）、この曲名を利用者が選択する（選択手段）。（表示手段に）表示されている曲名が１曲のみであれば、利用者はその曲名を選択するか否かであるが、（表示手段に）複数の曲名を表示されている場合は、利用者はそのうちの１〜数曲または全曲を選択することができる。選択された曲名は変換装置に送信される。変換装置は、受信した曲名を曲番号に変換して返信する。これを受信して、この受信した曲番号を予約リストに登録する。すなわち、利用者は、ネットワーク上の装置から配信された（インターネットのホームページに公開された）曲番号を選択するのみで、その曲をカラオケ装置に対して予約することが可能になる。なお、選択はマウスクリックやカーソルキー、エンターキーなどで行えばよい。
【００１０】
請求項４の発明は、カラオケ曲の曲名およびこのカラオケ曲の曲データの曲番号を対応づけて配信する配信装置がネットワークを介して接続されたカラオケ装置であって、曲番号で識別される曲データを記憶する記憶手段と、入力された曲データに基づいてカラオケ曲を演奏する演奏手段と、前記ネットワークを介して前記配信装置と通信する通信手段と、前記通信手段が配信装置から受信したカラオケ曲の曲名を表示する表示手段と、表示手段が表示している曲名を、演奏するカラオケ曲の曲名として選択する選択手段と、選択手段によって選択された曲名に対応する曲番号を予約リストに登録し、予約リストに登録された曲番号を登録順に読み出し、この曲番号で識別される曲データを前記記憶手段から読み出して前記演奏手段に入力する制御手段と、を備えたことを特徴とする。
【００１１】
この発明では、カラオケ装置が、サーバ装置に記憶されている複数の曲番号を受信して予約曲として記憶する。そして、この複数の予約曲を順次演奏する。これにより、サーバ装置から複数の曲を一度に予約することができ、リモコン装置を用いて１曲ずつ予約登録する手間が省ける。
【００１２】
請求項５の発明は、複数のカラオケ曲の曲番号を記憶しているウェブサイトおよび前記ウェブサイトへのリンク情報を記憶しているサーバ装置とインターネットを介して接続されたカラオケ装置でカラオケ曲を予約する方法であって、
前記サーバ装置が、カラオケ装置に対して前記リンク情報を送信する手順、カラオケ装置が、前記リンクを経由して前記ウェブサイトにアクセスする手順、ウェブサイトが、前記複数の曲番号をカラオケ装置に送信する手順、カラオケ装置が、受信した曲番号を予約リストに登録する手順、からなることを特徴とする。
【００１３】
この発明では、一般のウェブサイトに複数のカラオケ曲の曲番号が記憶されている。これはたとえば、一般のインターネット利用者が自分のホームページ上に複数のカラオケ曲を組み合わせて編集した独自のアルバムを公開している場合などである。そして、カラオケ装置に各種の情報を提供するサーバ装置にこのウェブサイトのリンク情報が公開されている。カラオケ装置は、ウェブサイトにアクセスしてリンク情報を受信することにより、一般のウェブサイトにアクセスすることができ、一般のインターネット利用者が編集したアルバムの曲を曲番号としてカラオケ装置に取り込んで順次演奏することができる。
【００１４】
上記の発明において、複数のカラオケ曲はいわゆるアルバムとして作成される。たとえば、特定の歌手、特定のジャンルあるいは特定の年代をテーマとしてこのテーマに基づいて複数のカラオケ曲を選択してアルバムとする。または、何らかのストーリーを想定し、そのストーリーの展開に沿って複数のカラオケ曲を選択してアルバムとする。このようにあるテーマに基づいてまたはあるストーリーにそって選曲編集された複数のカラオケ曲がアルバムとしてサーバ装置に記憶される。このアルバムの作成は所定の係員が行ってもよいが、一般の者が行ってもよい。一般の者が作成したアルバムはインターネットのウェブサイト（サーバ装置）に公開すればよい。このウェブサイトは、一般の者自身のサイトでもよく、カラオケ装置を管理する会社のサイトであってもよい。
【００１５】
カラオケ装置の顧客は、通信を介して上記サーバ装置にアクセスし、上記公開されているアルバムをカラオケ装置に取り込む。このアルバムの曲番号が予約曲リストとなり、カラオケ装置は、このアルバムに記載されているカラオケ曲をその曲順で演奏してゆく。
【００１６】
なお、一般の者がアルバムを作成する場合に、曲名をカラオケ装置が処理可能な曲番号に変換する必要があるが、これをインターネット上のウェブサイトで行うようにしてもよい。
【００１７】
【発明の実施の形態】
図１はこの発明の実施形態であるカラオケ装置のアルバム登録・予約システムの構成を示す図である。
カラオケ装置１１を利用する顧客は、通常はリモコン装置から曲番号を入力してカラオケ曲を予約するが、このシステムではインターネットのサイト上に表示される曲を選択することにより、その曲の予約コマンド（曲番号）がインターネットを介して送られてきて、曲を予約することができる。また、従来は１曲ずつカラオケ曲を選曲してその曲番号を入力していたが、このシステムでは、あるテーマに基づいて或いはあるストーリーにしたがって選曲された複数の曲をアルバムとしてカラオケ装置１１に一度に予約し、連続してこの複数の曲を演奏させることができる。
【００１８】
ここで、予約コマンドとは、選曲されたカラオケ曲の曲番号やコマンドコードを含む電文であり、カラオケ装置に対して上記曲番号を予約リストに登録する動作を実行させる内容の電文である。また、アルバムとは、上記のようにあるテーマに基づいて選曲された複数のカラオケ曲、またはあるストーリーにそって選曲された複数のカラオケ曲のリストである。テーマとは、たとえば特定の歌手、特定の年代、特定の季節などのカラオケ曲絞り込みの条件や誕生日、クリスマス、海などのカラオケ曲抽出のキーワード（索引語）などであり、テーマに基づいて編集されたアルバムは共通のテーマを待つまとまった複数のカラオケ曲からなる。また、ストーリーにそって選曲されたアルバムとは、物語的なあるストーリーを想定し、このストーリーの各場面毎にその場面に適したカラオケ曲を選択することで、複数のカラオケ曲に統一性を持たせたものである。
【００１９】
このようなアルバムをインターネット上で公開する場合、その曲名のリストだけでなく、アルバム名（タイトル）、テーマに基づくアルバムであるかストーリーに沿ったアルバムであるかのタイプ種別、テーマまたはストーリーおよびその解説、総演奏時間などの情報を一緒に公開する。カラオケ装置１１の顧客は、これら全ての情報を参照してアルバムを選択する。
【００２０】
このアルバムは、インターネット２上のサイト３または５のホームページに公開されており、カラオケ装置１１の顧客は、カラオケ装置１１を用いてインターネット２上の上記ホームページ（サイト）にアクセスし、アルバムの曲名リストをモニタに表示させる。この表示の態様は図３（Ｃ）に示すようであり、アルバム名は＜＞で前後を囲まれており、曲名は［］で前後を囲まれている。
【００２１】
カラオケ装置１１の利用者が、モニタに表示されたアルバム全体（アルバム名）またはその中の１〜数曲の曲名を選択すると、カラオケ装置は、その曲名をインターネット上の曲名・曲番号変換ホームページ３４に転送する。曲名・曲番号変換ホームページ３４は、曲名・曲番号変換エンジン３０を接続しており、受け取った曲名を、その曲名に対応する曲番号を含む予約コマンドに変換してカラオケ装置１１にインターネット２を介して返信する。カラオケ装置１１は、この予約コマンドを受信し、このコマンドを実行することにより予約リストへ曲番号を登録する。
【００２２】
上記アルバムは、カラオケの業務に従事している者でない一般のインターネット利用者が、ホームページに登録することによってインターネット２上に公開したものである。このアルバムは、インターネット利用者自身のホームページ（サイト）５上に公開してもよく、インターネット利用者が、カラオケ装置の業務を運営する会社のポータルサイト３に登録し、このポータルサイト３のホームページ上で公開するようにしてもよい。なお、この実施形態では上記曲名・曲番号変換エンジンをこのポータルサイト３に設ける。
なお、この実施形態の説明においては、インターネット利用者のウェブサイトとホームページとをほぼ同義で用い、そのいずれにも部品番号５を付すものとする。
【００２３】
カラオケ店１に設置されているカラオケ装置１１は、上記アルバムのアルバム名、または、アルバム中の曲名が、利用者によって選択（マウスクリック等）されたとき、このアルバム名または曲名を上記曲名・曲番号変換ホームページ３４に転送する機能を備えるようにＪａｖａ（登録商標）やＣＧＩを用いて記述しておく。またＷｉｎｄｏｗｓ（登録商標）機の場合にはＩｎｔｅｒｎｅｔ　Ｅｘｐｌｏｒｅｒのコアを用いて専用のブラウザを動作させるようにしてもよい。アルバム名、曲名の検出は、上記＜＞、［］を制御記号として用いる。すなわち、クリックされた位置のテキストが［］の間であれば、この［］で囲まれた範囲に表示されている曲名が選択されたとして、その曲名のテキストデータを曲名・曲番号変換ホームページ３４に送信する。また、クリックされた位置のテキストが＜＞の間であれば、このページに表示しているアルバムの全曲が選択されたとして、このアルバム名以下の［］で囲まれるテキストデータ（曲名）を順次全て曲名・曲番号変換ホームページ３４に送信する。
【００２４】
なお、このブラウザは、上記ポータルサイト３のホームページおよびこのホームページから直接リンクされているページのみにアクセス可能なようにインターネット接続機能を制限しておいてもよく、自由にどのホームページにでもアクセスできるようにしておいてもよい。カラオケ装置１１のインターネット接続機能を制限した場合には、アクセスを自動化することができ、そうすることにより簡略な操作でポータルサイト３のホームページや直接リンクしているウェブサイト５のホームページにアクセスすることができ、ここからアルバムの曲リストをダウンロードして表示することができる。また、自由にインターネットにアクセスできるように機能を開放することにより、カラオケ装置１１をインターネット端末としてボックスの顧客に利用させることができる。
【００２５】
図１において、インターネット２には、カラオケ店１の管理装置１０、前記ポータルサイト３、一般のインターネット利用者のパーソナルコンピュータ（ＰＣ）４、および、上記インターネット利用者のホームページスペースが設けられているインターネットプロバイダのウェブサイト５が接続されている。この図には、カラオケ店１、パーソナルコンピュータ４、ウェブサイト５をそれぞれ１つずつ図示しているが、これらはインターネット２に複数接続されている。また、ポータルサイト３は、インターネット２上に１つ存在すればよいが、多数のアクセスを円滑に処理できるようにミラーサイトを設けてもよい。
【００２６】
カラオケ店１には複数のカラオケ装置１１が設置されており、これら複数のカラオケ装置１１は、管理装置１０にローカルエリアネットワーク（ＬＡＮ）で接続されている。各カラオケ装置１１は、管理装置１０をプロキシサーバとしてインターネット２にアクセスすることができる。
【００２７】
カラオケ装置１１は、カラオケ曲を演奏するための曲データを複数記憶する記憶手段、曲データを用いてカラオケ曲を演奏する演奏手段を備えている。各曲データは曲番号で識別される。リモコン装置から曲番号が入力されたとき、この曲番号をメモリに設定されている予約リストに登録し、登録順に読み出してその曲番号の曲データを演奏手段に入力してカラオケ曲の演奏を実行する。リモコン装置がカラオケ装置本体に送信する曲番号は、曲番号本体にカラオケ曲の予約である旨を示すコマンドコードが付加されたものであり、このコマンドコードに対応してカラオケ装置はこの曲番号を予約リストに登録する。
【００２８】
ポータルサイト３は、カラオケ装置１１やカラオケ店１を運営管理する会社が、カラオケ装置に対する曲の予約を簡略化するために設置したインターネットサイトであり、同図に示すようにアルバム集ホームページ３１、アルバムリンク集ホームページ３２、登録フォームホームページ３３、および、曲名・曲番号変換ホームページ３４の４種類のホームページをインターネット２上に公開している。
【００２９】
アルバム集ホームページ３１は、上記複数のカラオケ曲からなるアルバムを公開するためのホームページである。インターネット利用者が、自分のパーソナルコンピュータ４でポータルサイト３の登録フォームホームページ３３をアクセスして自分が作成したアルバムを登録すると、このアルバムがアルバム集ホームページ３１に公開される。
【００３０】
また、アルバムリンク集ホームページ３２は、インターネット利用者が自分のホームページ５上で公開したアルバムを紹介してリンクするホームページである。インターネット利用者が自分のホームページ５上でアルバムを公開したとき、登録フォームホームページ３３からそのＵＲＬ等を登録すると、このアルバムリンク集ホームページ３２にそれが掲載され、自分のホームページに対するリンクが生成される。
【００３１】
曲名・曲番号変換ホームページは、前記曲名・曲番号変換エンジン３０を接続しており、カラオケ装置１１から送信されてきた曲名を、その曲名に対応する曲番号に変換してカラオケ装置に返信する。前記曲番号は、カラオケ曲の曲データを識別する曲番号そのものであってもよいが、曲番号に曲の予約である旨を示すコマンドコードが付加された予約コマンドであってもよい。この第１の実施形態では、この曲名・曲番号変換ホームページが返信する曲番号は予約コマンドであるものとする。
【００３２】
図２は、ポータルサイト３の登録フォームホームページ３３のアクセス処理手順を示すフローチャートである。また、図３はこのホームページでインターネット利用者に送信（表示）されるページの例を示す図である。
インターネット利用者のパソコン４から登録フォームホームページ３３にアクセスがあると、まず、このポータルサイトのアルバム集ホームページ３１にアルバムを登録するためのアクセスであるか、自分のホームページ５に公開したアルバムのリンク（紹介）をアルバムリンク集ホームページ３２に登録するためのアクセスであるかを選択するフォームのページを送信する（ｓ１）。アルバム集ホームページ３１へアルバムを登録するためのアクセスである旨の返信があればｓ２の判断でｓ３以下に進む。アルバムリンク集ホームページ３２へ自分のホームページ５に公開したアルバムのリンクを登録するためのアクセスである旨の返信があればｓ２の判断でｓ１６以下に進む。
【００３３】
ｓ３では、アルバム集ホームページ３１に登録するアルバムのタイトル、タイプ種別、解説等を入力するフォームをパソコン４に送信する（図３（Ａ）参照）。アルバムを登録するインターネット利用者がパソコン４を操作してこの登録フォームに必要な事項を記入して返信すると、登録フォームホームページ３３は、このタイトル、タイプ種別、解説等を受信する（ｓ４）。次に曲名のリストを入力するフォームをパソコン４に送信する（ｓ５：図３（Ｂ）参照）。なお、図３（Ｂ）には歌手名を入力する欄が示されているが、歌手名の入力は必須ではない。アルバムを登録するインターネット利用者がパソコン４を操作してこの登録フォームに曲名（および歌手名）を記入して返信すると、登録フォームホームページ３３はこのリストを受信し（ｓ６）、図３（Ｃ）に示すような確認画面をパソコン４に返信するとともに、この内容をアルバム曲集ホームページ３１に登録してこのホームページで公開されるようにし（ｓ１０）、パソコン４に対して登録が完了した旨の画面を送信する（ｓ１１：図３（Ｄ）参照）。
【００３４】
上記の処理でアルバムが登録されるが、アルバム曲集ホームページ３１は各アルバムの利用ログをチェックし、一定期間利用がないアルバムについては、自動的に消去するようにしてもよい。
【００３５】
一方、インターネット利用者が自分のホームページに公開したアルバムのリンクを登録する場合、すなわちｓ１の選択画面に対するインターネット利用者からの返信が紹介（リンク）の登録であった場合には動作がｓ１６に進む。ｓ１６では、利用者のホームページ５を紹介してリンクするために必要なアルバム情報やＵＲＬを入力するための登録フォームを送信する。アルバム情報は、アルバムタイトル、タイプ種別、テーマまたはストーリー、その解説、作者（ハンドル名）などであり、ＵＲＬはそのアルバムの曲名リストなどが掲載されているホームページ５のＵＲＬである。このホームページ５のＯＫボタンに、コンテンツとしてアルバムが掲載されたインターネット利用者のホームページがリンクされている。インターネット利用者のパソコン４からこの登録フォームの入力内容を受信すると（ｓ１７）、その内容をアルバムリング集ホームページ３２に登録してこのホームページで紹介できるようにし（ｓ１８）、パソコン４に登録が完了した旨の画面を送信する（ｓ１９）。
【００３６】
上記の処理でインターネット利用者のホームページ５に掲載されたアルバム名および曲名がアルバムリンク集ホームページ３２に公開されるが、アルバムリンク集ホームページ３２は各リンクのジャンプ状況をログに記録し、一定期間リンク先へジャンプしていないものについては、自動的に消去するようにしてもよい。ログとしては、総利用回数（リンクのジャンプ回数）、最近の一定期間の利用回数、最新利用日時などからなり、総利用回数や最近一定期間の利用回数に応じてアルバム作者にインセンティブを与えるようにしてもよい。
なお、インターネット利用者のホームページ５はアルバムリンク集ホームページ３２からジャンプしてアクセスするのみならず、直接アクセスすることも可能である。
【００３７】
図４は、カラオケ装置１１の動作を示すフローチャートである。利用者の操作により、上記ポータルサイト３のアルバム曲集ホームページ３１またはアルバムリンク集ホームページ３２を経由してインターネット利用者のホームページ５にアクセスすると（ｓ６１）、アクセスしたページの曲リストを表示する（ｓ６２）。カラオケ装置１１の利用者は、ポインティングデバイスを利用して、モニタに表示されているアルバム名または曲名をクリックする。上記のように曲名は［］で囲まれており、アルバム名は＜＞で囲まれているため、クリックされた場所の前後のテキストを検索することにより、曲名が選択されたかアルバム名が選択されたかを割り出すことができる。ｓ６３で利用者がモニタ上のテキストをクリックするまで待機し、クリックがされると、それが曲名すなわち［］の間であるか（ｓ６４）、それともアルバム名すなわち＜＞の間であるか（ｓ６５）を判断する。［］の間がクリックされた場合には、この［］で囲まれたテキスト（文字列）を曲名として曲名・曲番号変換ホームページ３４に送信する（ｓ６６）。そして、これに対する曲名・曲番号変換ホームページ３４からの返信を受信する（ｓ６７）。この返信は曲番号を含む予約コマンドであるため、この予約コマンドを実行して、上記曲名の曲番号を予約リストに登録する（ｓ６８）。
【００３８】
また、＜＞の間がクリックされた場合には、アルバム名が選択されたことを意味するため、このページに（このアルバム名以下に）存在する［］で囲まれたテキスト（文字列）を検索し（ｓ６９）、このテキストを曲名として順次、曲名・曲番号変換ホームページ３４に送信する（ｓ７１）。そして、これに対する曲名・曲番号変換ホームページ３４からの返信である予約コマンドを受信し（ｓ７２）、この予約コマンドを実行して、上記曲名の曲番号を予約リストに登録する（ｓ６８）。この処理をこのページの全ての曲名について実行したのち（ｓ７０）動作を終了する。
【００３９】
なお、画面に表示されるテキストのなかから曲名およびアルバム名を識別する識別子は［］や＜＞に限定されない。また、プレーンテキストでなくテキストをフレーム化して曲名の欄を作ってもよい。
【００４０】
このように、この実施形態では、ホームページ上に公開されているアルバム名と複数の曲名をカラオケ装置１１のモニタに表示し、利用者が選択した曲名を曲名・曲番号変換ホームページ３４に送信して、予約コマンドに変換したものを受信して予約処理を実行するようにしている。
【００４１】
一方、以下に説明する第２の実施形態では、ホームページ上に公開するアルバムの曲名に予め曲番号をリンク（または併記）しておき、このページを表示したカラオケ装置１１がそのリンクを読み込んで予約処理をするようにしている。この実施形態においても、アルバムとはあるテーマに基づいて選曲された複数のカラオケ曲、またはあるストーリーにそって選曲された複数のカラオケ曲のリストである。
このアルバム登録・予約システムの構成も、図１に示した第１の実施形態の構成とほぼ同様でよい。ただし、同図の破線に示すように、登録フォームホームページ３３もアルバム曲集ホームページ３１に登録するアルバムの曲番号を検索するために曲名・曲番号変換エンジン３０を用いる。すなわち、上記のようにホームページ上に公開されるアルバムの各曲名には予め曲番号がリンクされている必要があるため、曲名・曲番号変換エンジン３０は、アルバムの公開前に、インターネット利用者および登録フォームホームページ３３によってアクセスされる。
また、曲名・曲番号変換ホームページ３４は、第１の実施形態では、カラオケ装置１１から曲名を受信して予約コマンドに変換するホームページであったが、この実施形態では、一般のインターネット利用者が、自分のホームページ５上で公開するアルバムの曲番号を検索するためにアクセスするホームページ、すなわちインターネット利用者が送信してきた曲名に対応して曲番号を返信するホームページとして機能する。
【００４２】
インターネット利用者が、自分のホームページ５でアルバムを公開する場合、このアルバムを構成するカラオケ曲の曲名を掲載するとともに、カラオケ装置１１がこのカラオケ曲を演奏可能なように各カラオケ曲の曲番号をリスト化して必要がある。一般のインターネット利用者は、カラオケ曲に対応する曲番号を知っておらず、曲名と曲番号を対応づけたいわゆる目次本を所持していないため、このホームページでは、一般のインターネット利用者向けに曲名から曲番号への変換サービスをインターネット上で行う。このポータルサイト５はカラオケ装置１１で演奏可能な全てのカラオケ曲の曲名、曲番号、（オリジナルの）歌手名、歌いだしの歌詞などを対応付けたデータベースおよびこれらの情報を一部一致、全部一致などの条件で検索する検索エンジンからなる曲名・曲番号変換エンジン３０を備えており、このホームページはこの曲名・曲番号変換エンジン３０を用いてカラオケ曲の曲名を曲番号に変換する。
なお、登録フォームホームページ３３もインターネット利用者がアルバム曲集ホームページ３１に登録しようとするアルバムの曲名を曲番号に変換するとき、上記曲名・曲番号変換エンジン３０を用いる。
【００４３】
図５は、この実施形態におけるポータルサイト３の登録フォームホームページのアクセス処理手順を示すフローチャートである。また、図６はこのホームページへの登録中にインターネット利用者に送信（表示）されるページの例を示す図である。図５のフローチャートは、図２のフローチャートにｓ７〜ｓ９およびｓ１３、ｓ１４を付加したものである。また図６は、図３に示す表示例に対して（Ｃ）の画面のみが異なっている。
【００４４】
インターネット利用者のパソコン４から登録フォームホームページ３３にアクセスがあると、まず、このポータルサイトのアルバム集ホームページ３１にアルバムを登録するためのアクセスであるか、自分のホームページ５に公開したアルバムのリンク（紹介）をアルバムリンク集ホームページ３２に登録するためのアクセスであるかを選択するフォームのページを送信する（ｓ１）。アルバム集ホームページ３１へアルバムを登録するためのアクセスである旨の返信があればｓ２の判断でｓ３以下に進む。アルバムリンク集ホームページ３２へ自分のホームページ５に公開したアルバムのリンクを登録するためのアクセスである旨の返信があればｓ２の判断でｓ１６以下に進む。
【００４５】
ｓ３では、アルバム集ホームページ３１に登録するアルバムのタイトル、タイプ種別、解説等を入力するフォームをパソコン４に送信する（図６（Ａ）参照）。アルバムを登録するインターネット利用者がパソコン４を操作してこの登録フォームに必要な事項を記入して返信すると、登録フォームホームページ３３は、このタイトル、タイプ種別、解説等を受信する（ｓ４）。次に曲名のリストを入力するフォームをパソコン４に送信する（ｓ５：図６（Ｂ）参照）。なお、図６（Ｂ）には歌手名を入力する欄が示されているが、歌手名の入力は必須ではない。アルバムを登録するインターネット利用者がパソコン４を操作してこの登録フォームに曲名（および歌手名）を記入して返信すると、登録フォームホームページ３３はこのリストを受信し（ｓ６）、受信した曲名を曲番号へ変換する（ｓ７）。この変換処理は、曲名・曲番号変換エンジン３０が実行する。登録フォームホームページ３３のプログラムが曲名・曲番号変換エンジン３０に曲名リストを渡し、その変換結果を曲名・曲番号変換エンジン３０から受け取る。この変換結果を図６（Ｃ）に示すような確認画面に編集してパソコン４に返信する（ｓ８）。
【００４６】
この確認画面は、パソコン４から送信された曲名から割り出されたその曲の歌手名、曲番号、歌いだしの歌詞などで構成されている。アルバムを登録するインターネット利用者は、この画面で曲名に対応する歌手名、歌いだしの歌詞などから曲の検索、すなわち曲名から曲番号への変換が正しく行われたかを確認し、全て正しければＯＫボタンをクリックして確認ＯＫの旨の返信をする。インターネット利用者は曲名に対応する曲番号を知らないため、歌手名，歌いだしの歌詞などに基づいて検索が正しく行われたか否かを判断するようにしている。一方、入力した曲名のなかに検索が正しく行われていないものがある場合には、その欄の右側に表示されているチェックボックスをクリックしてチェックを入れ、修正ボタンをクリックして修正がある旨の返信をする。
【００４７】
登録フォームホームページ３３は、パソコン４からＯＫの返信があった場合には、入力された内容をアルバム曲集ホームページ３１に登録してこのホームページで公開されるようにし（ｓ１０）、パソコン４に対して登録が完了した旨の画面を送信する（ｓ１１：図６（Ｄ）参照）。
【００４８】
一方、利用者のパソコン４から修正がある旨の返信があった場合には、チェックボックスにチェックが入っていた曲について曲名・曲番号変換エンジン３０を再度アクセスして再検索する（ｓ１３）。同じ曲名で複数のカラオケ曲が存在する場合や利用者が曲名の入力を間違えていた場合に曲の検索が正しく行われない場合が生じるため、この再検索ではこれを考慮して同名の他の曲や曲名が一部一致の曲などを検索する。そして、検索結果を再度、確認画面に編集してパソコン４に送信し（ｓ１４）、ｓ９に進む。インターネット利用者は、この確認画面を検査し、全ての曲が正しく検索されている場合にはパソコン４を介してＯＫの返信をする。この処理によって全ての曲が正しく検索され、正しい曲番号で登録される。
【００４９】
上記の処理でアルバムが登録されるが、アルバム曲集ホームページ３１は各アルバムの利用ログをチェックし、一定期間利用がないアルバムについては、自動的に消去するようにしてもよい。
【００５０】
一方、インターネット利用者が自分のホームページに公開したアルバムのリンクを登録する場合はｓ１６〜ｓ１９の処理を実行するがこの処理動作については図９の説明ののちに説明する。
【００５１】
図７は、カラオケ装置１１がポータルサイト３のアルバム曲集ホームページ３１にアクセスしてアルバムの曲番号リストページを表示する場合の動作を示すフローチャートである。また、図８はアルバム曲集ホームページ３１からカラオケ装置１１に送信されてくる画面の例を示す図である。この画面は通常のホームページと同様にＨＴＭＬで記述されており、インターネットの転送プロトコルＨＴＴＰで送信される。
カラオケ装置１１がアルバム曲集ホームページ３１にアクセスしたとき、この動作がスタートする。カラオケ装置１１は一般のパソコンのようにキーボードやマウスを備えていないため、付属のリモコン装置からインターネットのアクセス操作を行うことができるようにする。たとえば、所定の（簡略な）キー操作をするとＷＷＷブラウザが起動するようにスクリプトを記述しておき、ＷＷＷは起動時にアルバム曲集ホームページ３１にアクセスするように初期設定しておけば、カラオケ装置１１の顧客はリモコン装置の簡略な操作でアルバム曲集ホームページ３１にアクセスすることができる。
【００５２】
アルバム曲集ホームページ３１にアクセスすると、ホームページから図８（Ａ）のトップページが送信されてくる。カラオケ装置１１はこのトップページをモニタに表示する（ｓ２０）。このトップページは、アルバムのカテゴリーを選択する画面である。ここで、カテゴリーとは、上記テーマ，ストーリーのタイプ種別、集められている曲のジャンル、年代、歌手などの分類であり、カラオケ装置１１の顧客のアルバム選択を容易にする分類であればどのような分類であってもよい。
【００５３】
カラオケ装置１１の顧客は、この画面を見て所望のカテゴリーを選択してアルバム曲集ホームページ３１に返信する（ｓ２１）。アルバム曲集ホームページ３１は選択されたカテゴリーに属するアルバムを検索し、検索された（１または複数の）アルバムのタイトル、テーマ・ストーリーとその解説およびそのアルバムの作者（このアルバムを登録したインターネット利用者）などのアルバム情報をカラオケ装置１１に送信する（図８（Ｂ）参照）。カラオケ装置１１はこのアルバム情報をモニタに表示する（ｓ２２）。ここでは、カテゴリーが選択されるとそのカテゴリーに属するアルバムのアルバム情報リストを送信するようにしているが、アルバムの数が多い場合にはサブカテゴリを設けて、アルバムをより詳細に絞り込んだのちにアルバム情報リストを送信するようにしてもよい。その場合には、ｓ２０、ｓ２１の動作をサブカテゴリーの階層の数だけ繰り返し実行するようにすればよい。
【００５４】
カラオケ装置１１の顧客は、送信されてきたアルバム情報を見て所望のアルバムを選択して返信すると（ｓ２３）、アルバム曲集ホームページ３１はそのアルバムの曲名リストをカラオケ装置１１送信する（図８（Ｃ）参照）。カラオケ装置１１はこの曲名リストをモニタに表示する（ｓ２４）。カラオケ装置１１の顧客はこの曲名リストを見てこれをカラオケ装置１１で演奏させることに決定した場合にはＯＫボタン（送信ボタン）をオンすると（ｓ２５）、その旨がアルバム曲集ホームページ３１に送信される。アルバム曲集ホームページ３１はこのＯＫの返信に対応して、このアルバムの曲番号リストをカラオケ装置１１に対して送信する（ｓ２６）。このアルバム曲番号リストは、カラオケ装置１１が予約曲リストを記憶する予約キューに直接キューイングされる。したがって、このアルバム曲番号リストが送信されると、カラオケ装置１１はこのアルバム曲番号リストを予約曲リストとして取り扱い、ここに書き込まれている曲番号の曲を順番に演奏してゆく。
【００５５】
上記のようなＯＫボタンをクリックするとカラオケ装置１１にアルバムの曲番号が予約される機能を実現するために、アルバムの曲名リストが掲載されているページのＯＫボタンにこのアルバム曲の曲番号リストをリンクしておく。カラオケ装置１１の顧客が、ＯＫボタンをクリックすると、リンクされているアルバム曲番号リストがカラオケ装置１１に送信される。
【００５６】
また、カラオケ装置１１は、送信する曲番号リストの転送先を予約曲リストのディレクトリに設定しておく。
【００５７】
以上の動作ののち、アルバム曲集ホームページ３１では、この送信されたアルバムのログを更新する（ｓ２７）。各アルバムのログは、総利用回数（ダウンロード回数）、最近の一定期間の利用回数、最新利用日時などからなり、総利用回数や最近一定期間の利用回数に応じてアルバム作者にインセンティブを与えるようにしてもよい。また、一定期間全く利用がない場合には、このアルバムをホームページから削除・消去するようにしてもよい。
【００５８】
なお、ｓ２５において、曲名リストを見た顧客が他のアルバムを選択するために、図８（Ｃ）に示す戻るボタンを押した場合にはｓ２２またはｓ２０に戻るようにすればよい。
【００５９】
図９は自分のホームページ５上にアルバムを公開するインターネット利用者の作業手順を示すフローチャートである。この手順はパソコン４やウェブサイト５、ポータルサイト３の処理のみならずインターネット利用者自身の作業も含むフローチャートである。まずインターネット利用者がテーマやストーリーを考えてアルバムの構想を練り、このテーマに基づいてまたはストーリーに沿って複数のカラオケ曲を選曲して所定の順序に並べる。同時にそのアルバムのタイトル、解説などを考える（ｓ３０）。なお、この作業は上記アルバム曲集ホームページ３１にアルバムを登録する場合でも同様である。
【００６０】
そして、パソコン４でポータルサイト３の曲名・曲番号変換サービスホームページ３４にアクセスし、上記選曲したカラオケ曲の曲名を入力する（ｓ３１）。曲名・曲番号変換サービスホームページ３４は、この曲名を曲名・曲番号変換エンジン３０に入力して曲番号等を割り出し、この変換内容をパソコン４に返信する（ｓ３２）。この返信と並行してカラオケ装置１１において予約曲リストとして用いられるアルバム曲番号リストが同時にダウンロードされる。
【００６１】
このとき、曲名・曲番号変換サービスホームページ３４は、図１０に示す動作を実行する。この動作は図５に示す登録フォームの処理動作と類似している。図１０において、まず、曲名のリストを入力するフォームをパソコン４に送信する（ｓ４０）。このフォームはアルバムを登録する場合の曲名入力フォームである図６（Ｂ）と同様でよい。インターネット利用者がパソコン４を操作してこのフォームに曲名（および歌手名）を記入して返信すると、曲名・曲番号変換サービスホームページ３４はこのリストを受信し（ｓ４１）、受信した曲名を曲番号へ変換する（ｓ４２）。この変換処理は、曲名・曲番号変換エンジン３０が実行する。すなわち、曲名・曲番号変換サービスホームページ３４のプログラムが曲名・曲番号変換エンジン３０に曲名リストを渡し、その変換結果を曲名・曲番号変換エンジン３０から受け取る。この変換結果を図６（Ｃ）に示すような確認画面に編集してパソコン４に返信する（ｓ４３）。
【００６２】
この確認画面は、パソコン４から送信された曲名から割り出されたその曲の歌手名、曲番号、歌いだしの歌詞などで構成されている。アルバムのホームページを作成するインターネット利用者は、この画面で曲名に対応する歌手名、歌いだしの歌詞などから曲の検索、すなわち曲名から曲番号への変換が正しく行われたかを確認し、全て正しければＯＫボタンをクリックして確認ＯＫの旨の返信をする。インターネット利用者は曲名に対応する曲番号を知らないため、歌手名，歌いだしの歌詞などに基づいて検索が正しく行われたか否かを判断するようにしている。一方、入力した曲名のなかに検索が正しく行われていないものがある場合には、その欄の右側に表示されているチェックボックスをクリックしてチェックを入れ、修正ボタンをクリックして修正がある旨の返信をする。
【００６３】
曲名・曲番号変換サービスホームページ３４は、パソコン４からＯＫの返信があった場合には（ｓ４４）、確認画面のチェックボックスのないものを確定画面として表示するとともに、曲番号をリスト化したアルバム曲番号リストをパソコン４に対してダウンロードする（ｓ４５）。インターネット利用者がこのアルバム曲番号リストをＯＫボタンにリンクさせることによって、カラオケ装置１１の顧客がＯＫボタンをオンすることでこのアルバムの曲を連続して演奏させることができるようになる。
【００６４】
一方、利用者のパソコン４から修正がある旨の返信があった場合には、チェックボックスにチェックが入っていた曲について曲名・曲番号変換エンジン３０を再度アクセスして再検索する（ｓ４６）。同じ曲名で複数のカラオケ曲が存在する場合や利用者が曲名の入力を間違えていた場合に曲の検索が正しく行われない場合が生じるため、この再検索ではこれを考慮して同名の他の曲や曲名が一部一致の曲などを検索する。そして、検索結果を再度、確認画面に編集してパソコン４に送信し（ｓ４７）、ｓ４４に進む。インターネット利用者は、この確認画面を検査し、全ての曲が正しく検索されている場合にはパソコン４を介してＯＫの返信をする。この処理によって全ての曲が正しく検索され、正しい曲番号の曲番号リストがダウンロードされる。
【００６５】
図９において、インターネット利用者は上記のアルバムタイトル、曲名、テーマ・ストーリー、解説などを含むホームページを作成し、そのページのＯＫボタンに上記ダウンロードされたアルバム曲番号リストのファイルをリンクする（ｓ３３）。そして、このように作成したホームページのファイル群をウェブサイト５にアップロードしてホームページとして公開する（ｓ３４）。
【００６６】
次に、インターネット利用者は、パソコン４を介して登録フォームホームページ３３にアクセスして自分のウェブサイト５にアップロードしたホームページのＵＲＬや紹介文を登録してアルバムリンク集ホームページ３２に公開する（ｓ３５）。これにより、カラオケ装置１１の顧客がアルバムリンク集ホームページ３２からこのインターネット利用者のホームページ５にジャンプして利用者が作成したアルバムの曲番号リストをカラオケ装置１１に送信して歌唱することができるようになる。
【００６７】
ここで、前記登録フォームホームページ３３のアルバムリンク集ホームページ３２への登録処理動作を図５を参照して説明する。ｓ１の選択画面に対するインターネット利用者からの返信が紹介（リンク）の登録であった場合には動作がｓ１６に進む。ｓ１６では、利用者のホームページ５を紹介してリンクするために必要なアルバム情報やＵＲＬを入力するための登録フォームを送信する。アルバム情報は、アルバムタイトル、タイプ種別、テーマまたはストーリー、その解説、作者（ハンドル名）などであり、ＵＲＬはそのアルバムの曲名リストなどが掲載されているホームページ５のＵＲＬである。このホームページ５のＯＫボタンにアルバムの曲番号リストのファイルがリンクされている。インターネット利用者のパソコン４からこの登録フォームの入力内容を受信すると（ｓ１７）、その内容をアルバムリング集ホームページ３２に登録してこのホームページで紹介できるようにし（ｓ１８）、パソコン４に登録が完了した旨の画面を送信する（ｓ１９）。
【００６８】
上記の処理でインターネット利用者のホームページ５に掲載されたアルバムのアルバム情報やリンクがアルバムリンク集ホームページ３２に公開されるが、アルバムリンク集ホームページ３２は各リンクのジャンプ状況をログに記録し、一定期間リンク先へジャンプしていないものについては、自動的に消去するようにしてもよい。ログとしては、総利用回数（リンクのジャンプ回数）、最近の一定期間の利用回数、最新利用日時などからなり、総利用回数や最近一定期間の利用回数に応じてアルバム作者にインセンティブを与えるようにしてもよい。
なお、インターネット利用者のホームページ５はアルバムリンク集ホームページ３２からジャンプしてアクセスするのみならず、直接アクセスすることも可能である。
【００６９】
図１１はカラオケ装置１１の顧客がアルバムリンク集ホームページ３２にアクセスしたときの動作を示すフローチャートである。リモコン装置の所定操作でＷＷＷブラウザでアルバムリンク集ホームページ３２にアクセスすると（ｓ５０）、アルバムリンク集ホームページからカテゴリーリストのページが送られてくるため、これをモニタに表示する（ｓ５１）。顧客がこのカテゴリーリストを見て所望のカテゴリーを選択する（ｓ５２）。
【００７０】
カラオケ装置１１が、マウスやカーソルキーなどのポインタデバイスを用いてカーソルを移動させることができるものであれば、カテゴリー名にリンクを埋め込んでおき、利用者がマウスを用いてカーソルを移動させてカテゴリー名をクリックしたときそのカテゴリーのリンクにアクセスするようにすればよいが、ポインタデバイスを備えない場合には、各カテゴリー名の横にボタンを設け、リモコン装置の操作でそのボタンを選択するようにすればよい。ボタンの選択は、たとえばテンキーでそのボタンの番号を選択するようにしてもよく、リモコン装置にＴＡＢキー、ＳＨＩＦＴキー、ＥＮＴＥＲキーに対応するキーを設け、ＴＡＢキー、ＳＨＩＦＴ＋ＴＡＢキーでボタンを選択し、ＥＮＴＥＲキーでそのボタンを押す操作するようにしてもよい。いずれにしても、ポータルサイト３からカラオケ装置１１に送信されるウェブページはカラオケ装置１１で操作可能な設定にされているものとする。
【００７１】
カテゴリーの選択はアルバムリンク集ホームページ３２に送信され、アルバムリンク集ホームページ３２はこれに対応して、この選択されたカテゴリーのアルバム情報リストをカラオケ装置１１に送信する。カラオケ装置１１は、これを受信してモニタに表示する（ｓ５３）。顧客がこのアルバムリストを見て所望のアルバムを選択する（ｓ５４）。この選択も上記カテゴリーの選択と同様の操作で行えばよい。なお、アルバムの数が多い場合には表示をスクロールできるようにし、また、さらに数が多い場合にはサブカテゴリーを設けて階層化するようにしてもよい。
【００７２】
顧客がアルバムを選択すると、カラオケ装置１１のＷＷＷブラウザはそのアルバム名にリンクされているウェブサイト５、すなわちそのアルバムが公開されているウェブサイトのホームページにアクセスをジャンプさせる（ｓ５５）。そして、そのホームページの内容を受信してアルバムの曲名のリストを表示する（ｓ５６）。顧客がこの曲名を見てこれをカラオケ装置１１で演奏することを決定した場合にはＯＫボタンを押す（ｓ５７）。そうすると、このＯＫボタンの操作がホームページ５に伝達され、ホームページ５からこのアルバムの曲番号リストが送信されてくる（ｓ５８）。カラオケ装置１１はこのアルバム曲番号リストのファイルを予約曲リストとして予約キューに入れ（ｓ５９）、この曲の連続演奏に移行する。
【００７３】
以上の動作はカラオケ装置１１がアルバムリンク集ホームページ３２にアクセスしたときのカラオケ装置１１の動作について説明したが、カラオケ装置１１がアルバム曲集ホームページ３１にアクセスした場合も（他のウェブサイトにジャンプせずホームページ３１がアルバム曲番号リストをダウンロードする点を除いて）ほぼ同様の動作である。カラオケ装置１１がＷＷＷブラウザを起動してインターネットにアクセスするとき、アルバム曲集ホームページ３１、アルバムリンク集ホームページ３２のどちらにアクセスするかを顧客が選択できるようにしておけばよい。
【００７４】
一般のインターネット利用者が自分のウェブサイト５にアルバムを公開する場合、そのアルバムのみをコンテンツとしたホームページを作成してもよいが、そのインターネット利用者が独自のコンテンツをホームページで公開する場合、そのコンテンツ中にアルバムを含めるようにしてもよい。
【００７５】
たとえば、インターネット利用者が特定の歌手のファンの場合、その歌手を紹介するとともに、その歌手の曲を自分で組み合わせたコンピレーションアルバムを作成してそのホームページ上に公開するようにしてもよい。また、その歌手がリリースしたアルバムＣＤの曲が全てカラオケ曲として演奏可能であれば、そのアルバムＣＤの曲集をそのままアルバムとして公開してもよい。
【００７６】
また、インターネット利用者が自作のストーリー（小説など）をホームページでに公開する場合に、そのストーリーに沿って選曲されたカラオケ曲をアルバムとして一緒に公開してもよい。
【００７７】
また、インターネット利用者がホームページでアルバムを掲載するのは、通常は他者にそれを公開するためであるが、自分（自分を含むグループ）がカラオケ店でそれを歌唱するために、事前にアルバムを自分のまたはポータルサイトのホームページに公開しておいてもよい。
【００７８】
また、カラオケ装置を運営管理する者の運用として、うまく編集されたアルバムはカラオケ装置の利用を促進するものであるため、インターネット上でアルバムのコンクールなどを行い優秀なアルバムを公開したものに賞品等を出すようにしてもよく、また、アルバム曲集ホームページ３１やアルバムリンク集ホームページ３２で公開（紹介）しているアルバムの中で積算利用回数や一定期間内の利用回数の多いものに賞品等を出すようにしてもよい。
【００７９】
以上の実施形態では、カラオケ装置１１がＷＷＷブラウザを起動してインターネットにアクセスするようにしているが、カラオケ装置１１にパソコンなどのインターネット端末を接続しておき、このインターネット端末を用いてインターネットにアクセスするようにしてもよい。この場合でもホームページから送信されるアルバム曲番号リストはカラオケ装置１１の予約曲キューに入れるようにすればよい。
【００８０】
また、顧客が所持する携帯電話でインターネットにアクセスし、ダウンロードされてきたアルバム曲番号リストをカラオケ装置１１に転送するようにしてもよい。転送にはたとえばＢｌｕｅ　Ｔｏｏｔｈなどを用いればよい。
【００８１】
アルバム曲集ホームページ３１およびアルバムリンク集ホームページ３２は、カラオケ店のカラオケ装置１１のみがアクセスできるクローズのホームページとしてもよく、インターネット２上のどの端末装置からもアクセスできるオープンのホームページとしてもよい。
【００８２】
また、上記実施形態では、アルバム曲集ホームページ３１やインターネット利用者のホームページ５に、予めアルバムとして編集された複数のカラオケ曲の情報が記憶されているとしたが、ホームページ上にアルバムの素材となるテーマを公開しておき、カラオケ装置１１の顧客がこのテーマを選択したときに自動的にアルバムが編集されるようにしてもよい。たとえば、テーマとして「秋」、「海」、「女性歌手」などのテーマが選択された場合には、秋の海を歌った女性歌手の曲を検索してアルバムとして編集してカラオケ装置に送信するなどである。このカラオケ曲の検索は、上記曲名・曲番号変換エンジンに歌詞や歌手名などの検索機能を付加することで実現することができる。
【００８３】
また、アルバム情報およびアルバム曲番号リストをカラオケ装置１１や管理装置１０などのローカルに記憶しておき、インターネットを経由しないで利用できるようにしてもよい。
【００８４】
図１２、図１３を参照してこの発明の第３の実施形態であるカラオケ曲検索・予約システムについて説明する。このシステムも、上記第１の実施形態のシステムと同様に、カラオケ装置が、インターネット上に公開されているホームページにアクセスすることによってカラオケ曲の予約を行うことができるようにした予約システムであり、ホームページでは、カラオケ装置からアクセスがあったとき、検索エンジンにアクセスして所定のカラオケ曲を抽出し、これをカラオケ装置に対して予約する。
【００８５】
図１２は、同カラオケ曲検索・予約システムの構成を示す図である。カラオケ装置１１は、上記第１の実施形態と同様に、インターネット上に公開されているＷＷＷを閲覧するためのブラウザ１１ａを備えている。このブラウザ１１ａは、パーソナルコンピュータで用いられる汎用のブラウザソフトウェアによって実現される。ブラウザ１１ａは、利用者の操作によって起動されたとき、サーバ装置６のユーザホームページ６２にアクセスするよう設定されている。ユーザホームページ６２は、ホームページ作成者が設定したキーワードに基づいてカラオケ曲を検索し、この検索されたカラオケ曲を、ブラウザ１１ａのカラオケ装置１１に予約登録する機能を備えている。したがって、カラオケ装置１１の利用者がブラウザ１１ａを用いてユーザホームページ６２にアクセスすることによって、自動的にカラオケ装置１１に対してカラオケ曲を予約することができる。
【００８６】
サーバ装置６には、一般のインターネット利用者向けのサービスページである検索ホームページ６１、上記一般インターネット利用者が作成してアップロードしたユーザホームページ６２、カラオケ曲の曲名、曲番号を含む曲目情報を種々のキーワードとともに記憶している曲名・曲番号データベース６４、指定されたキーワードで曲名・曲番号データベース６４を検索し、このキーワードに該当する曲名・曲番号を抽出する検索エンジン６５、および、この検索エンジン６５を前記ホームページで使用するためのＣＧＩ６３を備えている。
【００８７】
検索ホームページ６１は、一般インターネット利用者が利用するように作成されたホームページである。このホームページは、カラオケ曲を検索するキーワードを自由に入力するエリア、および検索ボタンを備えている。検索ボタンには、前記ＣＧＩ６３へのリンクが埋め込まれている。このホームページを表示している端末４上で、一般インターネット利用者がキーワードを入力して検索ボタンをクリックすると、端末４は、そのキーワードを引数としてＣＧＩ６３にアクセスし、このキーワードに該当するカラオケ曲の曲名を抽出して表示する。入力するキーワードは１つであっても複数であってもよい。
【００８８】
一般インターネット利用者は、検索ホームページ６１を用いた上記検索を種々のキーワードを用いて繰り返し（トライ・アンド・エラー）行い、所望のカラオケ曲が抽出されるキーワード（キーワード群）を見つけ出す。
【００８９】
一般インターネット利用者は、上記の検索ホームページ６１で所望のカラオケ曲を抽出できるキーワードを見つけ出したとき、これをリンクに埋め込んだユーザホームページ６２を作成する。このユーザホームページ６２は、特定の歌手などを紹介するホームページであり、上記検索ホームページ６１を用いて見つけ出したキーワードでカラオケ曲を検索し、検索されたカラオケ曲をカラオケ装置１１に対して選曲キューとしてセットするように作成されている。ユーザホームページ６２には、リンクボタンを兼ねたアルバムタイトルが表示され、このアルバムタイトルに上記検索ホームページ６１で見つけ出したキーワードを引数としてＣＧＩを呼び出すリンクが埋め込まれている。たとえば、アルバムタイトルが＜美空ひばり恋唄つづり＞であり、検索するキーワードが「美空ひばり」と「恋」であったとすると、これに対応するソースは、＜ａ　ｈｒｅｆ＝”ｈｔｔｐ：／／ｗｗｗ．ｋａｒａｏｋｅ．ｏｒ．ｊｐ／ｓｅａｒｃｈ．ｃｇｉ？ｔｉｔｌｅ＝　美空ひばり恋唄つづり？ｋｗ＝美空ひばり＋　恋？ｂａｃｋ＝ｕｓｒ１／ｈｏｇｅ．ｈｔｍｌ？ｏｐ１＝ＸＸＸＸ？ｏｐ２＝ＹＹＹＹ？”＞＜美空ひばり恋唄つづり＞＜／ａ＞のようになる。ここで、ｈｔｔｐ：／／ｗｗｗ．ｋａｒａｏｋｅ．ｏｒ．ｊｐ／　がサーバ装置のＵＲＬであり、ＣＧＩのファイル名はｓｅａｒｃｈ．ｃｇｉである。そして、検索結果がリスト化されてカラオケ装置１１に戻される。このリスト項目は＜曲名：歌手名＞からなっている。
【００９０】
このリストページに表示される個々の曲リストに番号変換とカラオケ端末へ予約コマンドを送信するためのＣＧＩリンクが記述される。たとえば、＜人恋酒：美空ひばり＞というリスト項目に対して、＜ａ　ｈｒｅｆ＝”ｈｔｔｐ：／／ｗｗｗ．ｋａｒａｏｋｅ．ｏｒ．ｊｐ／ｅｘｃｈａｎｇｅ−ｒｅｓｅｒｖｅ．ｃｇｉ？ｓｏｎｇ＝人恋酒：美空ひばり？ｂａｃｋ＝ｕｓｒ１／ｈｏｇｅ．ｈｔｍｌ？ｏｐ１＝ＸＸＸＸ？ｏｐ２＝ＹＹＹＹ？”＞＜人恋酒：美空ひばり＞＜／ａ＞のソースが記述される。ここで、ｅｘｃｈａｎｇｅ−ｒｅｓｅｒｖｅ．ｃｇｉが曲名および歌手名に基づいて曲番号を割り出し、これをカラオケ装置に対して予約コマンドとして送信するためのプログラムである。なお、アルバム予約ボタンなどを戻りページに実装して、リスト表示された複数のカラオケ曲を一括予約できるようにしてもよい。この場合には、このアルバム予約ボタンに全リスト曲のリンクをまとめて記述しておけばよい。
【００９１】
一般インターネット利用者は、自分の端末装置４でこのようなリンクを記述したホームページを作成してアップロードしてもよいが、サーバ装置６上にユーザホームページ作成用のウィザードのホームページを公開しておき、一般インターネット利用者がこのウィザードに従って必要項目を入力してゆけば自動的に上記のようなリンクを含むホームページが作成され、これがサーバ装置上にアップロードされるようにしてもよい。
【００９２】
上記のようにＣＧＩディレクトリ６３には、ｓｅａｒｃｈ．ｃｇｉおよびｅｘｃｈａｎｇｅ−ｒｅｓｅｒｖｅ．ｃｇｉが設定されているが、これらは以下のような処理を実行するプログラムである。
【００９３】
ｓｅａｒｃｈ．ｃｇｉは；
検索ホームページ６１から受け取ったキーワード、すなわち、インターネット利用者によって検索ホームページ６１に入力されたキーワードを検索エンジン６５に渡してこのキーワードに該当するカラオケ曲の曲目情報を抽出させる。検索エンジン６５が抽出した曲目情報から曲名を取り出し、これをリスト化したページ（ＨＴＭＬ）を編集する。これを検索ホームページ６１にアクセスした端末装置４に送信する。
ユーザホームページ６２から受け取ったキーワード、すなわち、カラオケ装置１１装置でユーザホームページ上に表示されているアルバムタイトルがクリックされたとき取得されたキーワードを検索エンジン６５に渡してこのキーワードに該当するカラオケ曲の曲目情報を抽出させる。検索エンジン６５が抽出した曲目情報から曲名を取り出し、これをリスト化したページ（ＨＴＭＬ）を編集する。これをユーザホームページ６２にアクセスしたカラオケ装置１１に送信する。
【００９４】
ｅｘｃｈａｎｇｅ−ｒｅｓｅｒｖｅ．ｃｇｉは；
カラオケ装置１１から受け取った前記リスト項目（カラオケ曲）の選択情報に基づき、選択されたカラオケ曲の曲番号をカラオケ装置に予約キューとして送信する。この予約キューの送信は、インターネットとは別の電話回線を介して行う。
【００９５】
予約キューとして送信する曲番号を割り出すために、上記ソースでは曲名：歌手名で再度検索エンジンをアクセスするように記述されているが、曲名を検索したときに曲番号を一緒に割り出すことは容易であるため、上記のように曲名・曲番号を曲目情報として一緒に抽出しておき、ｃｏｏｋｉｅを用いてアクセスしたカラオケ装置１１を識別することによって、曲名リストの選択情報と曲番号とを対応づけるようにしてもよい。
【００９６】
なお、ｓｅａｒｃｈ．ｃｇｉは、ユーザホームページ６２だけでなく、検索ホームページ６１にもリンクが埋め込まれる。
【００９７】
図１３の処理の流れ図を参照してカラオケ装置が、前記ユーザホームページ６２にアクセスしてカラオケ曲を予約する手順について説明する。
【００９８】
この実施形態において、カラオケ装置１１（ブラウザ１１ａ）は、事前の係員処理により、サーバ装置６にログインしており、ブラウザ１１ａはサーバ装置６からログインしている旨のｃｏｏｋｉｅを受け取っている。サーバ装置６は、カラオケ装置からアクセスがあったとき、このｃｏｏｋｉｅを受け取ることによってどのカラオケ装置からのアクセスであるかを識別することができる。サーバ装置は、各カラオケ装置１１の電話番号を記憶しており、これによって、アクセスしてきたカラオケ装置に電話をかけて予約コマンドを送信することができるようになる。
【００９９】
利用者の操作によってカラオケ装置１１上でＷＷＷブラウザが起動すると（ｓ１）、デフォルト設定により、サーバ装置６のユーザホームページ６２にアクセスする（ｓ２）。なおサーバ装置６に複数のユーザホームページ６２がアップロードされている場合には、最初に選択ページにアクセスし、カラオケ装置利用者の選択により、いずれかのユーザホームページ６２に進むようにすればよい。
【０１００】
カラオケ装置１１からアクセスされたサーバ装置６は、ユーザホームページ６２のトップページをカラオケ装置に対して送信する（ｓ３１）。カラオケ装置１１（ブラウザ１１ａ）は、このトップページを受信してモニタに表示する（ｓ３）。このトップページには、ｃｏｏｋｉｅを取り込むスクリプトが記述されているため、ブラウザ１１ａは内部に記憶しているｃｏｏｋｉｅをサーバ装置６に対して送信し（ｓ４）、サーバ装置６はこれを受け取って（ｓ３２）、どのカラオケ装置（ブラウザ）からのアクセスであるかを認識することができる。
【０１０１】
カラオケ装置１１のブラウザ１１ａにユーザホームページ６２のトップページが表示されると、このトップページには上述したようなＣＧＩがリンクされているアルバムタイトルが表示されており、カラオケ利用者がこのアルバムタイトルをクリックすると（ｓ５）、このリンクＵＲＬを引数であるキーワードとともにリンク情報としてサーバ装置６に対して送信する（ｓ６）。このとき一緒にｃｏｏｋｉｅを送信するようにしてもよい。
【０１０２】
このＣＧＩのＵＲＬ、キーワード（およびｃｏｏｋｉｅ）を受け取った（ｓ３３）サーバ装置６は、ＣＧＩを呼び出し（ｓ３４）、引数として受け取ったキーワードでデータベースを検索する（ｓ３５）。この検索によって抽出した曲目情報に基づいてカラオケ装置１１に送信する曲名リストを編集し（ｓ３６）、これをカラオケ装置１１に対して送信する（ｓ３７）。このときもまたｃｏｏｋｉｅのやり取りを行うようにしてもよい。
【０１０３】
曲名リストを受信した（ｓ７）カラオケ装置では、これをモニタのブラウザ画面上上に表示する（ｓ８）。カラオケ装置１１の利用者がそのリスト全体またはリスト中の任意のカラオケ曲を選択する（ｓ９）。リストの名称（アルバムタイトル）やカラオケ曲名の表示をクリックすることで行われる。リストの名称またはカラオケ曲名がクリックされると、その名称または曲名にリンクされているＣＧＩのＵＲＬおよび引数としての曲名、歌手名等が選択情報として送信される（ｓ１０）。また、このときも同時にｃｏｏｋｉｅのやり取を行うようにしてもよい。
【０１０４】
このＣＧＩのＵＲＬ、曲名、歌手名等を受け取った（ｓ３８）サーバ装置６は、ＣＧＩを呼び出し（ｓ３９）、引数として曲名、歌手名等でデータベースを検索し（ｓ４０）、対応する曲番号を割り出す。そして、ｃｏｏｋｉｅによって割り出したカラオケ装置の電話番号に発呼し（ｓ４１）、カラオケ装置が応答すると（ｓ１１）、曲番号の予約コマンドを送信する（ｓ４２）。カラオケ装置は、この予約コマンドを受信して（ｓ１２）、予約キューを実行する（ｓ１３）。
【０１０５】
こののち、サーバ装置はカラオケ装置に対して選択されたカラオケ曲の予約が完了した旨の画面を送信し（ｓ４３）、カラオケ装置はこれを受信してモニタに表示する（ｓ１４）。
【０１０６】
以上の手順により、カラオケ装置からホームページにアクセスし、そのホームページの検索機能を用いて、カラオケ曲を予約することが可能になる。
【０１０７】
なお、この実施形態には以下のような発明も記載されている。
（１）　通信により複数のカラオケ曲の曲番号を受信する手順、受信した複数の曲番号を、順次演奏するための予約曲として記憶する手順、からなるカラオケ装置のカラオケ曲予約方法。
（２）　予約曲として記憶した曲番号で指定されるカラオケ曲を順次演奏するカラオケ装置において、通信手段と、この通信手段を介して受信した複数の曲番号を前記予約曲として記憶する手段と、を備えたカラオケ装置。
（３）　カラオケ曲の曲名およびこのカラオケ曲の曲番号を対応づけて配信する配信装置がネットワークを介して接続されたカラオケ装置の選曲方法であって、前記配信装置から受信したカラオケ曲の曲名を表示する手順と、表示している曲名を、演奏するカラオケ曲の曲名として選択する手順と、選択された曲名に対応する曲番号を予約リストに登録する手順と、予約リストに登録された曲番号を登録順に読み出し、この曲番号で識別されるカラオケ曲を演奏する手順と、を備えたカラオケ装置の選曲方法。
この発明では、カラオケ装置が、サーバ装置に記憶されている複数の曲番号を受信して予約曲として記憶する。そして、この複数の予約曲を順次演奏する。これにより、サーバ装置から複数の曲を一度に予約することができ、リモコン装置を用いて１曲ずつ予約登録する手間が省ける。
【０１０８】
（４）　端末装置が、サーバ装置にカラオケ曲の曲名を送信する手順、サーバ装置が、端末装置から受信した曲名を曲番号に変換する手順、カラオケ装置が、サーバ装置から前記変換された曲番号を受信する手順、カラオケ装置が、受信した曲番号を予約リストに登録する手順、からなるカラオケ装置の選曲方法。
この発明では、端末装置から送信されてきた曲名をそれぞれ曲番号に変換する。端末装置はたとえば一般のインターネット利用者がインターネットにアクセスするために使用するパソコンのようなものであり、一般のインターネット利用者はカラオケ装置で使用される曲番号を知らないため、カラオケ装置で演奏させたい複数の曲を曲名で送信してくる。サーバ装置は、この一般のインターネット利用者が送信してきた複数のカラオケ曲の曲名を受信して、この曲名を曲番号に変換してカラオケ装置が処理可能な情報に変換する。すなわち、一般のインターネット利用者が考えたカラオケ曲、または複数のカラオケ曲の組み合わせ（アルバム）をカラオケ装置で演奏することができる。
カラオケ装置は、この曲番号を受信して予約リストに登録し、これを順次演奏する。これにより、サーバ装置を介して一般のインターネット利用者が組み合わせ編集した複数の曲を一度に予約することができる。
【０１０９】
（５）　複数のカラオケ曲を組み合わせたアルバム情報を複数記憶しているサーバ装置が、カラオケ装置に対して前記複数のアルバム情報を送信する手順、カラオケ装置において、前記複数種類のアルバムのなかから１つのアルバムを選択する手順、サーバ装置が、前記選択されたアルバムに含まれる複数のカラオケ曲の曲番号をカラオケ装置に送信する手順、カラオケ装置が、受信した曲番号を予約リストに登録する手順、からなるカラオケ装置の選曲方法。
この発明では、複数のアルバムをカラオケ装置の顧客に公開し、顧客がこのなかから気に入ったものを選択することができる。この場合に、顧客は曲番号を理解することができないため、顧客には曲名などを含む顧客に理解できる情報を公開し、顧客が１つのアルバムを選択すると、そのアルバムの曲番号をカラオケ装置に対して送信する。これによって、顧客が所望のものを選択すればそれが自動的にカラオケ装置の予約リストに登録される。
【０１１０】
【発明の効果】
以上のようにこの発明によれば、外部装置からネットワークを介して入力された曲番号でカラオケ曲の予約をすることができるため、利用者が自分で目次本をめくって所望のカラオケ曲を探し、その曲の曲番号をリモコン装置で入力するという面倒な手順をしなくても外部装置からリモートにカラオケ曲の予約をすることができる。
【０１１１】
また、この発明によれば、表示手段に表示されたカラオケ曲の曲名を選択するのみでその曲の予約をすることができるため、所望の曲が表示されたときその曲を選択するのみで予約をすませることができ、目次本で探したりリモコン装置で曲番号を入力するという手間が省ける。
【０１１２】
また、この発明によれば、複数の曲を一度に予約することができ、リモコン装置を用いて１曲ずつ予約登録する手間が省ける。また、アルバムのタイトルや曲名などの情報を見てアルバム（複数のカラオケ曲）を選択すれば、その複数のカラオケ曲の曲番号がカラオケ装置に予約曲として記憶されるため、利用者にとってわかりやく且つ簡略な操作で複数のカラオケ曲を予約することができる。
【０１１３】
また、インターネット上に公開された複数のカラオケ曲の曲番号をカラオケ装置に予約曲として記憶することができるため、一般の者がアルバムとして複数のカラオケ曲の組み合わせを創作してこれをインターネット上に公開したものを自由にカラオケ装置に取り込んで演奏させることができる。
【図面の簡単な説明】
【図１】この発明の実施形態であるアルバム登録・予約システムの構成を示す図
【図２】第１の実施形態におけるポータルサイトの登録フォームホームページにアクセスされた場合のポータルサイトの処理手順を示すフローチャート
【図３】第１の実施形態における上記登録フォームホームページの画面構成例を示す図
【図４】第１の実施形態におけるアルバムのホームページにアクセスしたカラオケ装置の動作を示すフローチャート
【図５】第２の実施形態におけるポータルサイトの登録フォームホームページにアクセスされた場合のポータルサイトの処理手順を示すフローチャート
【図６】第２の実施形態における上記登録フォームホームページの画面構成例を示す図
【図７】第２の実施形態におけるアルバム曲集ホームページにアクセスされた場合のポータルサイトの処理手順を示すフローチャート
【図８】第２の実施形態における上記アルバム曲集ホームページの画面構成例を示す図
【図９】第２の実施形態におけるインターネット利用者がアルバムを掲載したホームページを作成する場合の作業手順を示すフローチャート
【図１０】第２の実施形態における曲名・曲番号変換サービスホームページにアクセスされた場合のポータルサイトの処理手順を示すフローチャート
【図１１】第２の実施形態におけるカラオケ装置がアルバムリンク集ホームページにアクセスする手順を示すフローチャート
【図１２】この発明の第３の実施形態であるカラオケ曲検索・予約システムの構成を示す図
【図１３】第３の実施形態におけるカラオケ曲の検索・予約手順を示す図
【符号の説明】
１…カラオケ店、２…インターネット、３…ポータルサイト、４…（一般インターネット利用者の）パソコン、５…（インターネット利用者用の）ウェブサイト（またはホームページ）、６…サーバ装置、
１０…管理装置、１１…カラオケ装置、１１ａ…ブラウザ、
３０…曲名・曲番号変換エンジン、３１…アルバム曲集ホームページ、３２…アルバムリンク集ホームページ、３３…登録フォームホームページ、３４…曲名・曲番号変換サービスホームページ
６１…検索ホームページ、６２…ユーザホームページ、６３…ＣＧＩ群、６４…曲名・曲番号データベース、６５…検索エンジン、６６…通信機能部
【図１】
2004053826.tif 000003
【図２】
2004053826.tif 000004
【図３】
2004053826.tif 000005
【図４】
2004053826.tif 000006
【図５】
2004053826.tif 000007
【図６】
2004053826.tif 000008
【図７】
2004053826.tif 000009
【図８】
2004053826.tif 000010
【図９】
2004053826.tif 000011
【図１０】
2004053826.tif 000012
【図１１】
2004053826.tif 000013
【図１２】
2004053826.tif 000014
【図１３】
2004053826.tif 000015